(57)【要約】 【課題】  スペース効率が良く、優れた音声を得られるスライド収納機器を提供する。【解決手段】  本体１の収納空間１０の内部にスピーカ４を設け、開口５に向けて音声を出力させる。【選択図】  図１
2006273318.tif 000002
【特許請求の範囲】
【請求項１】
開口を有する収納空間と、
該開口を介して収納空間から出入りするディスプレイ部と、
前記収納空間の内部に設けられたスピーカと、
を備えたことを特徴とするスライド収納ディスプレイ装置。
【請求項２】
前記スピーカが前記収納空間の開口に向けて、且つ収納空間の奥部に設けられた、
請求項１に記載のスライド収納ディスプレイ装置。
【発明の詳細な説明】
【技術分野】
【０００１】
この発明はスライド収納ディスプレイ装置に関する。  
【背景技術】
【０００２】
車載用のテレビ等のディスプレイ装置等においては、装着面積の節約のために、ディスプレイ部をスライド収納式に構成することが普通に行われている。
例えば図４に、本体５０とディスプレイ部５１とから構成されるディスプレイユニットの例を示す。このユニットでは、通常はディスプレイ部５１を本体５０内に収納しておき、ディスプレイ部５１を見る時はディスプレイ部５１をスライドさせて引き出し、図示するように回動させて画面を露出させるようになっている。
このような装置において、音声出力を得たい場合には、図４に示すようにオーディオ装置５３等の他の機器のスピーカ５２を利用するか、全く別個にスピーカを備えるか、或いは図５に示すようにディスプレイ部５１自体にスピーカ５２’を内蔵させる構成が採用されていた。
【０００３】
【特許文献１】特公開６−９９７７７号
【発明の開示】
【発明が解決しようとする課題】
【０００４】
しかし、オーディオ装置５３等のスピーカを利用する場合には、オーディオ装置５３とインターフェースを合わせる必要があり、またＦＭモジュレータ等を使用する場合にはコスト等が大幅に増大する問題がある。
更に別付けのスピーカを用いる場合は設置場所が問題になり、車室内のスペースの確保が難しく、また配線等の作業が面倒である問題がある。
更に図５に示すようにディスプレイ部５１等にスピーカ５２’を内蔵させるためには、内蔵スペースの問題があり、小さなスピーカしか取り付けることが出来ず、音量的に問題がある。また図示するようにスピーカ５２’の向きが後ろ向きになる等の問題も生じ、更にディスプレイ部５１に対するスピーカ５２’の磁気の悪影響が生じる危険がある等の問題がある。
本発明は上記した従来技術の問題点を解決することを目的とする。
【課題を解決するための手段】
【０００５】
上記目的を達成するために本発明のスライド収納ディスプレイ装置は、開口を有する収納空間と、該開口を介して収納空間から出入りするディスプレイ部と、前記収納空間の内部に設けられたスピーカと、を備えたことを特徴とする。
前記スピーカは、収納空間内のディスプレイ部の出入りを阻害しない位置なら何処でも設置可能であるが、収納空間の奥部に設けて且つ収納空間の開口方向に向けて設置するのが音響効果の点から望ましい。
【０００６】
収納空間にスピーカを設けることにより、他の機器のスピーカを利用する必要がなく、インターフェースの問題や、接続に伴うコストアップの問題がない。またスピーカも比較的大きなものを設置可能である。
また、スピーカからの音は収納空間を通って出力されるため、該収納空間のホーン効果を得ることが出来、スピーカを開口に向けて奥部に設けた場合にはこの効果を更に増大させることができる。
また、ディスプレイ部自体にスピーカを内蔵させる構成に比較して、ディスプレイ部に対するスピーカの磁界の悪影響を比較的小さく抑制することが可能になる。
【発明の効果】
【０００７】
本発明のスライド収納ディスプレイ装置は、スピーカを収納空間の内部に設けているため、スペース効率の良いスピーカの設置が実現でき、しかも収納空間のホール効果により優れた音声出力を得ることができる。また、スピーカの磁界の悪影響を抑制でき、他の機器のスピーカとの接続等が不要となる等の効果がある。
【発明を実施するための最良の形態】
【０００８】
以下本発明の実施形態を図面に基づいて説明する。
図１及び図２はこの発明を車載用のディスプレイ装置に適用した実施形態を示すものである。
本体１の内部に収納空間１０が形成され、ここにディスプレイ部２が収納可能になっている。ディスプレイ部２はスライド支持腕３に回動可能に装着され、スライド支持腕３は図２に示すように本体１にスライド可能に装着され、ディスプレイ部２を収納空間１０の開口５から出し入れ出来るようになっている。
【０００９】
図２（Ａ）に示すように、開口５はディスプレイ部２が収納されているときにはディスプレイ部２により塞がれ、（Ｂ）及び（Ｃ）に示すようにディスプレイ部２を引き出して回動させると、開口５は開放されるように構成されている。
【００１０】
開口５に対向する収納空間１０の奥部には奥壁６が立設され、ここにスピーカ４が装着されている。奥壁６の位置はディスプレイ部２収納時にディスプレイ部２と当たらない位置とする。
【００１１】
図３に他の実施例を示す。ここではディスプレイ部２の後端部の後方に断面Ｌ字状のスピーカ支持部材７を介してスピーカ４を装着し、ディスプレイ部２のスライドと共にスピーカ４をスライドするように構成している。
この構成によれば、図３の（Ｂ）及び（Ｃ）に示すようにディスプレイ部２がスライドして外部に出るのに伴ってスピーカ４もスライドし、開口５の手前側の近傍に位置するになっている。
このように実際にスピーカ４が使用される時のスピーカ４の位置を開口５近傍に位置させることにより、音量の増大やホール効果の調整を行うことが可能である。また、スピーカ支持部材７の腕の長さを調整してディスプレイ部２との間隔を調整することにより、ディスプレイ部２が外部に出たときのスピーカ４の位置を調整することが可能になり、例えばスピーカ４を収納空間１０の中央部に近傍に位置させたり、スピーカ４を図３の（Ｂ）（Ｃ）よりも開口５側へより接近させたりすることも可能である。
更に必要があればスピーカ４を収納空間１０の外部に出るように調整すること等も可能である。
【００１２】
以上の構成において、図２（Ｃ）に示すようにディスプレイ部２を引き出して回動させた使用状態では、開口５が開放され、スピーカ４からの音声出力は収納空間１０を通って開口５から出力される。そのため、収納空間１０によるホーン効果を得られる。
また、スピーカ４はディスプレイ部２から離れた位置に装着され、特にディスプレイ部２使用時には離間した状態になるため、スピーカ４の磁界による悪影響をディスプレイ部２に与えることがない。
また、収納空間１０の内部は比較的広いため、大きなスピーカ４を使用することが可能であり、更にスペースの許す限り複数のスピーカ４を設置することも可能である。
更に他の機器とのインターフェース等の問題がなく、他の機器との接続のためのコストも必要としない。また、スピーカ４は本体１内部にあるため、設置場所や配線或いは見栄えの等の点でも有利である等の利点がある。
また、図３の実施例ではスピーカ４がディスプレイ部２と共にスライドするようになっているため、スピーカ４を使用する際に、スピーカ４を開口５近傍に位置させる等、使用時のスピーカ４の位置調整を行うことが可能になる。
【図面の簡単な説明】
【００１３】
【図１】本発明の一実施例を示す外観斜視図。
【図２】本発明の一実施例の動作を示す側断面図。
【図３】本発明の他の実施例を示す側断面図。
【図４】従来の装置の一例を示す斜視図。
【図５】従来の装置の他の一例を示す斜視図。
【符号の説明】
【００１４】
１：本体、２：ディスプレイ部、３：スライド支持腕、４：スピーカ、５：開口、６：奥壁、７：スピーカ支持部材、１０：収納空間、５０：本体、５１：ディスプレイ部、５２：スピーカ、５３：オーディオ装置。 
【図１】
2006273318.tif 000003
【図２】
2006273318.tif 000004
【図３】
2006273318.tif 000005
【図４】
2006273318.tif 000006
【図５】
2006273318.tif 000007